(57)【要約】【課題】画像の定着回数と定着条件の少なくとも一方が異なる場合において、印刷物の色の変化を防止または抑制する。【解決手段】ロール紙Ｒを搬送するロール紙搬送装置１１，１４と、ロール紙Ｒの表面にトナー画像を形成する画像形成部１２と、画像形成部１２が形成したトナー画像を熱によってロール紙Ｒの表面に定着させる定着器１３と、定着器１３の温度とロール紙Ｒの搬送速度に応じた複数の画像処理パラメータを保持する画像処理パラメータ保持部１７ａと、定着器１３の温度およびロール紙Ｒの搬送速度に応じて画像処理パラメータを選択する全体制御部１０と、全体制御部１０が選択した画像処理パラメータを用いて印刷データを生成する印刷データ生成部１６ａとを備える。【選択図】図１
2013246316.tif 000002
【特許請求の範囲】
【請求項１】
連続紙を搬送する搬送手段と、
連続紙の表面に画像を形成する画像形成手段と、
前記画像形成手段が形成した画像を熱によって前記連続紙の表面に定着させる定着手段と、
前記定着手段の温度と前記連続紙の搬送速度に応じた複数の画像処理パラメータを保持する画像処理パラメータ保持手段と、
前記複数の画像処理パラメータから、前記定着手段の温度および前記連続紙の搬送速度に応じて画像処理パラメータを選択するパラメータ選択手段と、
前記パラメータ選択手段が選択した前記画像処理パラメータを用いて印刷データを生成する印刷データ生成手段と、
を備えることを特徴とする画像形成装置。
【請求項２】
前記パラメータ保持手段は、前記定着手段により定着される回数と定着時の温度と定着時の搬送速度に応じた画像処理パラメータを保持しており、
前記パラメータ選択手段は、定着回数と定着時の温度と定着時の搬送速度に応じてパラメータを選択することを特徴とする請求項１に記載の画像形成装置。
【請求項３】
前記印刷データを印刷するまで蓄積する印刷データ保持手段と、
前記印刷データ保持手段を監視する監視手段と、
前記印刷データ保持手段に保持されている印刷データが所定の閾値を下回った場合に、印刷を一時停止するか否かを判断する一時停止決定手段と、
を有することを特徴とする請求項１または２に記載の画像形成装置。
【請求項４】
前記印刷データを生成する前の画像データを保持する画像データ保持手段と、
前記画像データ保持手段を監視する監視手段と、
前記画像データ保持手段に保持されている画像が所定の量を下回った場合に、一時停止するか否かを判断することを特徴とする一時停止決定手段と、
を有することを特徴とする請求項１または２に記載の画像形成装置。
【請求項５】
前記印刷データを生成する前の画像データから中間データを生成する中間データ生成手段と、
前記中間データを保持する中間データ保持手段と、
前記中間データ保持手段を監視する監視手段と、
前記中間データ保持手段に保持されている画像が所定の量を下回った場合に、印刷を一時停止するか否かを判断する一時停止決定手段と、
を有することを特徴とする請求項１または２に記載の画像形成装置。
【請求項６】
前記一時停止決定手段は、印刷を一時停止することを決定した場合に一時停止するまでに印刷する画像を決定し、
前記パラメータ選択手段は、前記一時停止決定手段が決定した画像の数および位置に応じて画像処理パラメータを選択し、
前記印刷データ生成手段は、前記パラメータ選択手段が選択した画像処理パラメータを使用して印刷データを生成することを特徴とする請求項３から５のいずれか１項に記載の画像形成装置。
【請求項７】
一時停止の後に前記連続紙を巻戻す量を決定する巻戻し量決定手段と、
前記巻戻し量に応じて前記連続紙を巻戻す搬送制御手段と、
をさらに有し、
前記パラメータ選択手段は、巻戻し量決定手段が決定する前記巻戻し量に基づいて、前記定着手段により２回にわたって定着される画像と、前記画像が前記定着手段による２回目の定着における温度および搬送速度を決定し、決定した温度および搬送速度に応じて画像処理パラメータを選択することを特徴とする請求項３から６のいずれか１項に記載の画像形成装置。
【請求項８】
前記連続紙にパッチを形成するパッチ形成手段と、
前記連続紙に形成されるパッチを検出するパッチ検出手段と、
前記パッチ検出手段が前記パッチを検出したタイミングに基づいて、前記画像形成手段が前記連続紙に画像を形成するタイミングを決定するタイミング決定手段と、
さらに有することを特徴とする請求項１から７のいずれか１項に記載の画像形成装置。
【請求項９】
一時停止決定手段が印刷の一時停止を決定した後に前記搬送手段が搬送した前記連続紙の量と、前記画像形成手段が形成する画像の位置と、前記巻戻し量決定手段が決定した巻戻し量に基づいて、印刷の再開後に前記画像形成手段が前記連続紙に画像を形成するタイミングを決定するタイミング決定手段を更に有することを特徴とする請求項７に記載の画像形成装置。
【請求項１０】
前記搬送手段は、前記連続紙を巻戻して停止する際に、前記連続紙の余白領域が前記定着手段に接触する位置で停止させることを特徴とする請求項１から９のいずれか１項に記載の画像形成装置。
【発明の詳細な説明】
【技術分野】
【０００１】
本発明は、連続紙に印刷を行う画像形成装置に関する。
【背景技術】
【０００２】
従来、大規模印刷が必要なシステムでは、連続紙（ロール紙）に印刷する方法が採用されている。
ロール紙印刷では、データ不足や印刷不具合などにより印刷を一時停止させることがある。印刷一時停止から再開させるとき、高速な印刷機では、ロール紙の搬送速度を安定化させるためには助走期間が必要になる。この際に、停止した位置からそのまま助走させると、助走の分は余白領域となり、用紙の無駄が生じてしまう。
用紙の無駄を防ぐためには、ロール紙を巻戻してから印刷を再開する必要がある。しかしながら、巻戻されたロール紙には印刷済みの画像があるため、ロール紙を巻戻して印刷する方法では、印刷済みの画像の一部が、再度、印刷の経路上に設けられる定着器を通過する。定着器は、熱と圧力の一方または両方によってロール紙にトナーを定着させる。このため、定着器によって複数回にわたって定着が行われると、１回のみ行われた部分に比較して、色が変化することがある。
【０００３】
このような課題を解決する方法として、特許文献１には、ロール紙印刷時に巻戻した場合でも定着回数を一定にする構成が提案されている。特許文献１に記載の構成は、非接触の複写型の定着器を用い、定着器と用紙との間に設置される遮蔽版の開閉を制御することで、トナーが複数回にわたって定着されることが防止される。さらに、定着器の遮蔽版の開閉のタイミングを制御することで、定着時間を制御することもできる。特許文献１のように非接触型の定着器で遮蔽版を制御すれば、定着したい画像のときのみ遮蔽版を開けて定着することができるため、巻戻した画像に対する定着回数をコントロールすることができる。
また、定着回数の違いによる色の変化を補正する構成として、特許文献２には、両面印刷時に１回目と２回目で画像処理パラメータを変更する方法が提案されている。具体的には、両面印刷においては表面と裏面での定着器を通る回数が異なるため、処理する面に応じて画像処理パラメータを切り替える。これにより、色の変化を抑制している。
【０００４】
しかしながら、特許文献１に記載のような複写方式の定着器は、融点の低いトナーには適用できるものの、融点が高いものには対応できない。このため、トナーに使用できる材料が制限される。また、特許文献２に記載の構成は、用紙の表面と裏面とでパラメータを一律に切り替える構成である。そして特許文献２の構成は、印刷の一時停止は考慮されていない。このため印刷の一時停止の後に、用紙が部分的に巻戻される場合は考慮されておらず、同じ面の画像の一部のみの定着回数が増加する場合や、定着回数が増加した場合に、定着器の温度や搬送速度が異なることに起因する色の変化を抑制できない。
【先行技術文献】
【特許文献】
【０００５】
【特許文献１】特開２００９−２８８４９０号公報
【特許文献２】特開平６−２０２４１３号公報
【発明の概要】
【発明が解決しようとする課題】
【０００６】
上記実情に鑑み、本発明が解決しようとする課題は、画像の定着回数が異なる場合において、印刷物の色の変化を防止または抑制することである。
【課題を解決するための手段】
【０００７】
前記課題を解決するため、本発明は、連続紙を搬送する搬送手段と、連続紙の表面に画像を形成する画像形成手段と、前記画像形成手段が形成した画像を熱によって前記連続紙の表面に定着させる定着手段と、前記定着手段の温度と前記連続紙の搬送速度に応じた複数の画像処理パラメータを保持する画像処理パラメータ保持手段と、前記複数の画像処理パラメータから、前記定着手段の温度および前記連続紙の搬送速度に応じて画像処理パラメータを選択するパラメータ選択手段と、前記パラメータ選択手段が選択した前記画像処理パラメータを用いて印刷データを生成する印刷データ生成手段とを備えることを特徴とする。
【発明の効果】
【０００８】
本発明によれば、連続紙上の画像の定着回数が異なる場合であっても、印刷物に形成される画像の色の変化を防止または抑制できる。
【図面の簡単な説明】
【０００９】
【図１】図１は、本発明の第１実施形態にかかる画像形成装置の全体構成を模式的に示すブロック図である。
【図２】図２は、画像処理パラメータ保持部が保持する複数の画像処理パラメータを模式的に示す図である。
【図３】図３は、画像形成装置の印刷に関する処理を示すフローチャートである。
【図４】図４（ａ）〜（ｎ）は、画像形成装置の印刷に関する処理の内容を時系列に沿って示す模式図である。
【図５】図５は、複数回用パラメータの選択方法を示す図である。
【図６】図６は、定着が１回のみ行われる画像の印刷データの生成に使用される画像処理パラメータを模式的に示す図である。
【図７】図７は、第４実施形態にかかる画像形成装置の構成を模式的に示すブロック図である。
【図８】図８は、第５実施形態にかかる画像形成装置の構成を模式的に示すブロック図である。
【図９】図９は、第６実施形態にかかる画像形成装置の印刷の処理を模式的に示す図であり、第１実施形態の図４（ｇ）に対応する図である。
【発明を実施するための形態】
【００１０】
（第１実施形態）
まず、本発明の第１実施形態について説明する。図１は、本発明の第１実施形態にかかる画像形成装置１ａの全体構成を模式的に示すブロック図である。画像形成装置１ａは、全体制御部１０と、送り側のロール紙搬送装置１１と、巻取り側のロール紙搬送装置１４と、画像形成部１２と、定着器１３と、画像処理パラメータ保持部１７ａと、印刷データ生成部１６ａと、スプール１５ａとを有する。
全体制御部１０は、画像形成装置１ａの全体的な制御を行う。たとえば、全体制御部１０は、画像処理パラメータ保持部１７ａと、印刷データ生成部１６ａと、スプール１５ａと、画像形成部１２と、定着器１３と、ロール紙搬送装置１１，１４の制御および状態の監視を行う。
画像処理パラメータ保持部１７ａ（画像処理パラメータ保持手段）は、色変換に用いる複数のγ補正テーブルおよび複数の色変換テーブルを、複数の画像処理パラメータとして保持している。そして、画像処理パラメータ保持部１７ａ（画像処理パラメータ保持手段）は、全体制御部１０により選択された画像処理パラメータを、印刷データ生成部１６ａに送信する。なお、複数の画像処理パラメータの詳細については後述する。
印刷データ生成部１６ａ（印刷データ生成手段）は、画像処理パラメータ保持部１７ａから受信した画像処理パラメータを用いて、印刷する画像データの画像処理を行う。そして印刷データ生成部１６ａ（印刷データ生成手段）は、この画像処理によって、ページごとの画像の印刷データを生成する。
スプール１５ａ（印刷データ保持手段）は、印刷データ生成部１６ａが生成した印刷データを蓄積する。
送り側のロール紙搬送装置１１（搬送手段）は、印刷用紙であるロール紙Ｒ（連続紙）を送り出す。
画像形成部１２（画像形成手段）は、スプール１５ａに蓄積される印刷データを受信し、受信した印刷データを用いてロール紙Ｒの表面にトナー画像を形成する。たとえば、画像形成部１２は、感光ドラムと、露光部と、現像部とを有する。露光部は、印刷データを変調した光ビームを感光ドラムの表面に照射して、感光ドラムの表面に静電潜像を形成する。現像部は、感光ドラムの表面にトナーを付着させ、感光ドラムの表面に形成された静電潜像を顕像化する。そして、画像形成部１２は、感光ドラムの表面に付着させたトナーをロール紙Ｒの表面に転写する。このようにして、画像形成部１２（画像形成手段）は、ロール紙Ｒの表面にトナー画像を形成（転写）する。
定着器１３（定着手段）は、画像形成部１２よりもロール紙Ｒの搬送方向の下流側に設けられる。そして、定着器１３（定着手段）は、画像形成部１２により形成されたトナー画像を加熱してロール紙Ｒに定着させる（定着処理を行う）。
巻取り側のロール紙搬送装置１４（搬送手段）は、定着器１３によって画像が定着されたロール紙Ｒを巻き取る。
このように、画像形成装置１ａは、送り側および巻取り側のロール紙搬送装置１１，１４（搬送手段）によってロール紙Ｒを搬送しながら、ロール紙Ｒの表面に画像を印刷する。画像形成装置１ａが印刷を行っている間において、全体制御部１０は、印刷データ生成部１６ａが画像処理を行うページの画像ごとに、画像処理パラメータ保持部１７ａが保持する複数のパラメータの中から１つを選択する（パラメータ選択手段）。そして、全体制御部１０（パラメータ選択手段）は、画像処理パラメータ保持部１７ａに対し、選択した画像処理パラメータを印刷データ生成部１６ａ（印刷データ生成手段）に送信するように指示する。印刷データ生成部１６ａ（印刷データ生成手段）は、印刷する画像の画像データと、画像処理パラメータ保持部１７ａから送信された画像処理パラメータを用い、印刷データを生成する。なお、印刷する画像の画像データは、たとえば外部から入力される。そして、スプール１５ａ（印刷データ保持手段）は、画像形成装置１ａが印刷を行っている間において、印刷データ生成部１６ａが生成する印刷データを蓄積しつつ、蓄積した印刷データを画像形成部１２に送信する。
【００１１】
次に、画像処理パラメータ保持部１７ａ（パラメータ保持手段）が保持する複数の画像処理パラメータについて、図２を参照して説明する。図２は、画像処理パラメータ保持部１７ａが保持する複数の画像処理パラメータを模式的に示す図である。なお、図２は、画像処理パラメータ保持部１７ａが、全部で１７個の画像処理パラメータを保持する例を示す。ただし、図２に示す画像処理パラメータの種類および数は一例であり、本発明はこの例に限定されるものではない。
図２に示すように、画像処理パラメータ保持部１７ａは、複数の画像処理パラメータを保持する。複数の画像処理パラメータのうちの１個は、標準パラメータＳである。標準パラメータＳは、定着器１３によって１回のみ定着が行われる画像の印刷データの生成に用いられる。標準パラメータＳ以外の画像処理パラメータＡ１〜Ａ４,Ｂ１〜Ｂ４,Ｃ１〜Ｃ４,Ｄ１〜Ｄ４は、定着器１３を２回通過して２回にわたって定着が行われる画像の印刷データの生成に用いられる。説明の便宜上、標準パラメータＳ以外の画像処理パラメータを、複数回用パラメータＡ１〜Ａ４,Ｂ１〜Ｂ４,Ｃ１〜Ｃ４,Ｄ１〜Ｄ４と称する。
通常のプロセスにおいては、全体制御部１０（パラメータ選択手段）は標準パラメータＳを選択し、印刷データ生成部１６ａ（印刷データ生成手段）は標準パラメータＳを用いて画像処理を行って印刷データを生成する。
一方、複数回用パラメータＡ１〜Ａ４,Ｂ１〜Ｂ４,Ｃ１〜Ｃ４,Ｄ１〜Ｄ４は、１回目の定着が標準パラメータＳの想定する条件（定着器１３の温度およびロール紙Ｒの搬送速度）で行われ、２回目の定着が様々な条件で行われることを想定して設定される。具体的には、次のとおりである。２回目の定着時における定着器１３の温度およびロール紙Ｒの搬送速度は一定ではない。そこで、図２に示すように、各複数回用パラメータＡ１〜Ａ４,Ｂ１〜Ｂ４,Ｃ１〜Ｃ４,Ｄ１〜Ｄ４は、２回目の定着における定着器１３の温度およびロール紙Ｒの搬送速度の範囲に応じて設定される。すなわち、２回目の定着における定着器１３の温度とロール紙Ｒの搬送速度がそれぞれ所定の領域に分割され、分割された領域に対応する複数回用パラメータが設定される。図２に示す例では、定着器１３の温度が［Ａ］［Ｂ］［Ｃ］［Ｄ］の４つの範囲に分割され、ロール紙Ｒの搬送速度が［Ｔ１］［Ｔ２］［Ｔ３］［Ｔ３］の４つの範囲に分割された合計で１６の領域に分割される。そして、分割された領域ごとに、複数回用パラメータＡ１〜Ａ４,Ｂ１〜Ｂ４,Ｃ１〜Ｃ４,Ｄ１〜Ｄ４が設定される。
各複数回用パラメータは、１回目の定着が標準パラメータＳと同じ条件で行われ、２回目の定着が当該複数回用パラメータに対応する領域の条件で行われた場合に、標準パラメータＳで１回のみ定着が行われた画像と同等の色になるように設定される。
【００１２】
なお、画像処理パラメータ保持部１７ａが保持する各画像処理パラメータは、工場出荷時などに外部から設定される構成でもよいし、印刷初期化時に全体制御部１０が生成する構成でもよい。
工場出荷時に設定される構成では、印刷するロール紙Ｒの種類に応じて、複数の画像処理パラメータのセットを工場出荷時にあらかじめ記憶させておく。そして、印刷時において、ロール紙Ｒの種類に合ったパラメータセットを全体制御部１０に選択させる。
一方、印刷初期化時に生成する構成では、初期化時にロール紙Ｒにパッチなどの補正用画像を画像形成部１２で形成させる。
標準パラメータＳは、１回定着させたときのγ補正テーブルおよび色変換テーブルである。したがって、所定の画像（補正用画像）を定着温度・搬送速度が通常の状態で形成・定着させて印刷したものを測定し、その結果をもとにして、全体制御部１０が標準パラメータＳを生成する。
２回定着時に使用する複数回用パラメータＡ１〜Ａ４,Ｂ１〜Ｂ４,Ｃ１〜Ｃ４,Ｄ１〜Ｄ４の生成方法は次のとおりである。まず、補正用画像を画像形成部１２で形成して１回目の定着を通常状態で行う。次いで、２回目の定着条件を各パラメータに合わせて変えて定着させて印刷し、印刷したものを測定する。そして、測定結果に基づいて、全体制御部１０が各複数回用パラメータを生成する。例えば、複数回用パラメータＡ１を生成するときは、まず、補正用画像を定着器１３の温度・搬送速度が一定の通常状態で形成・定着させる。そして、印刷を一時停止させてロール紙Ｒを巻戻す。そして、複数回用パラメータＡ１に該当する定着温度・搬送速度になるよう定着器１３およびロール紙搬送装置１１，１４を制御して２回目の定着を行い、その結果を測定する。そして全体制御部１０がＡ１のパラメータを生成する。同様に、各条件に合ったパラメータを生成させてパラメータ保持部に記憶させる。
また、本実施例では２回定着時のパラメータ数を定着温度と搬送速度をそれぞれ４種類ずつの組合せの合計で１６種類としているが、温度条件や搬送速度の条件の分割数はこれに限るものではなく、領域の分割の仕方は任意である。さらに、分割した領域のうち複数の箇所で、同一のパラメータを用いても構わない。
【００１３】
次に、画像形成装置１ａの印刷に関する処理のフローについて、図３と図４を参照して説明する。図３は、画像形成装置１ａの印刷に関する処理を示すフローチャートである。図４（ａ）〜（ｎ）は、画像形成装置１ａの印刷に関する処理の内容を時系列に沿って示す模式図である。図４（ａ）〜（ｎ）のロール紙Ｒに記載される数字はページを示す。画像形成装置１ａの印刷に関する処理には、ステップＳ８〜Ｓ１２の印刷一時停止処理と、ステップＳ１３〜Ｓ１６の印刷再開処理とが含まれる。
ステップＳ０において、全体制御部１０は印刷に関する処理を開始する。
ステップＳ１において、印刷データ生成部１６ａは、標準パラメータＳを用いて画像処理を行って印刷データを生成する。そして印刷データ生成部１６ａは、生成した印刷データをスプール１５ａに蓄積していく。
ステップＳ２において、全体制御部１０は、スプール１５ａ（印刷データ保持手段）が蓄積（保持）する印刷データの量（スプール量）を監視する（監視手段）。そして、スプール量があらかじめ決められた所定の閾値（所定の量）以上になった場合に、全体制御部１０は、画像形成部１２や定着器１３などを制御して、ロール紙Ｒへの印刷を開始する。この所定の閾値は適宜設定され、特に限定されない。図４（ａ）では、スプール量の所定の閾値が５ページに設定される例を示す。そして、この例では、全体制御部１０は、スプール量が５ページ分以上になった場合に、ロール紙Ｒへの印刷を開始する。
ステップＳ３においては、全体制御部１０は、ロール紙Ｒへの印刷を行う。具体的には、まず、全体制御部１０は、定着器１３の加熱を開始する。定着器１３の温度が所定の温度に達して安定した後（定常状態となった後）、全体制御部１０は、ロール紙搬送装置１１，１４を制御してロール紙Ｒの搬送を開始する。そして全体制御部１０は、ロール紙Ｒの搬送速度が所定の速度に達した後、画像形成部１２と定着器１３を制御して、ロール紙Ｒに対して画像を印刷する。すなわち、画像形成部１２は、ロール紙Ｒの表面にトナー画像を形成し、定着器１３は、形成されたトナー画像を加熱してロール紙Ｒの表面に定着させる。なお、画像形成部１２と定着器１３とがトナー画像の形成と定着を実行している間も、印刷データ生成部１６ａは、印刷データの生成と、生成した印刷データのスプール１５ａへの蓄積とを継続する。
印刷を行っている間に、処理量の多い画像が連続するなどすると、印刷データ生成部１６ａが印刷データを生成する速度が、画像形成部１２がトナー画像を形成する速度よりも遅い状態が続くことがある。そうすると、スプール量が減少していく。このため、印刷を行っている間に画像が不足することを防止する必要がある。そこで、スプール量があらかじめ決められた所定の閾値を下回った場合には、全体制御部１０は、印刷一時停止処理を実行するか否かを判断する（一時停止決定手段）。この所定の閾値は適宜設定され、特に限定されるものではない。図４は、スプール量の所定の閾値として５ページが設定される例を示す。
具体的には次のとおりである。
ステップＳ４において、全体制御部１０は、スプール量が所定の閾値を下回ったか否かを判断する。スプール量が所定の閾値を下回っていないと判断された場合（「ＮＯ」の場合）には、ステップＳ３に戻り、ステップＳ３とステップＳ４を繰り返す。スプール量が所定の閾値を下回ったと判断された場合（「Ｙｅｓ」の場合）には、ステップＳ５に進む。
ステップＳ５では、全体制御部１０は、印刷ジョブが終わりであるか否か（これ以上印刷データが生成されないか否か）を判断する。印刷ジョブが終わりであると判断された場合には、ステップＳ６に進む。
ステップＳ６においては、全体制御部１０は、画像形成部１２と定着器１３とを制御し、スプール１５ａに蓄積されている全ての印刷データについて、トナー画像の形成と定着を行う。そしてステップＳ７に進む。
ステップＳ７においては、全体制御部１０は、印刷に関する処理を終了する。
一方、ステップＳ５において、印刷ジョブが終わりでないと判断された場合には、ステップＳ８に進む。すなわち、ステップＳ４において、スプール量が所定の閾値を下回ったと判断され、ステップＳ５において印刷ジョブが終わりでないと判断された場合には、ステップＳ８以降の印刷一時停止処理と印刷再開処理に進む。図４（ｂ）は、印刷データ生成部１６ａが１０ページまでの印刷データを生成した後において、スプール量が所定の閾値である５ページを下回っている状態を示す。この状態になると、全体制御部１０は、ステップＳ５において、印刷を一時停止するか否かを判断する（一時停止決定手段）（ステップＳ４）。そして、ステップＳ８に進む。
ステップＳ８以降においては、全体制御部１０は、印刷一時停止処理（ステップＳ８〜Ｓ１２）と印刷再開処理（ステップＳ１３〜Ｓ１６）とを実行する。
ステップＳ８においては、全体制御部１０は、印刷を一時的に停止させるロール紙Ｒの位置および印刷の一時停止の後にロール紙Ｒを巻戻す量を決定する（巻戻し量決定手段）。これらは、ロール紙Ｒの搬送速度の加速度と、定着器１３が所定の温度に達して定常状態になるまでに要する時間に応じて決定される。
ステップＳ９においては、全体制御部１０は、決定した印刷の一時停止位置と巻戻す量に基づいて、印刷の再開後に定着器１３を２回にわたって通過する（定着が２回行われる）ことになる画像（ページ）を決定する。そして、全体制御部１０は、定着器１３を２回にわたって通過することになる画像（ページ）のそれぞれについて、２回目の通過（定着）における定着器１３の温度と、ロール紙Ｒの搬送速度を求める。なお、定着器１３の温度は、あらかじめ決められた温度制御情報から算出してもよく、事前に測定した定着器１３の温度特性を用いてもよい。一方、ロール紙Ｒの搬送速度は、巻き戻した位置と加速度から算出できる。そして、全体制御部１０（パラメータ選択手段）は、算出した定着器１３の温度とロール紙Ｒの搬送速度に応じて、定着が２回にわたって行われる画像（ページ）のそれぞれについて、印刷データの生成に用いる複数回用パラメータを選択する。ここで選択される複数回用パラメータは、標準パラメータＳで１回定着させた画像の色に一番近くなる複数回用パラメータである。そして、全体制御部１０は、画像処理パラメータ保持部１７ａに対して、選択した複数回用パラメータを印刷データ生成部１６ａに送信するように指示する。印刷データ生成部１６ａは、送信された複数回用パラメータを用いて印刷データを生成する。
図４（ｃ）は、定着器１３の温度上昇と、ロール紙Ｒの加速度から、一次停止直前の画像を巻戻す量が４ページ分であると求められた例を示す。図４（ｃ）に示す１１ページ目〜１４ページ目の画像が、巻戻して２回にわたって定着が行われる画像である。これらのページの画像の印刷データの生成には、それぞれ、２回目の定着における搬送速度と定着器１３の温度に応じて複数回用パラメータの中から選択されたものが用いられる。
【００１４】
ここで、複数回用パラメータの選択方法について、図５を参照して説明する。全体制御部１０（パラメータ選択手段）は、各画像（各ページ）で使用する複数回用パラメータを、再開後に定着器１３を通過するときの定着温度と搬送速度とに応じて選択する。
図５は、２回目の定着における複数回用パラメータの選択方法を示す図である。図５に示すように、各複数回用パラメータＡ１〜Ａ４,Ｂ１〜Ｂ４,Ｃ１〜Ｃ４,Ｄ１〜Ｄ４は、２回目の定着における定着器１３の温度およびロール紙Ｒの搬送速度の範囲に応じて設定される。各複数回用パラメータは、画像処理パラメータ保持部１７ａに保持される。図５に示す例では、１１ページ目は、定着器１３の温度上昇とロール紙Ｒの搬送を開始してからの経過時間が短いため、定着器１３の温度は[Ａ]の範囲内にあり、ロール紙Ｒの搬送速度は[Ｔ１]の範囲内にある。このため、全体制御部１０は、１１ページ目の画像の印刷データの生成に用いる複数回用パラメータとして、定着器１３の温度の範囲［Ａ］とロール紙Ｒの搬送速度の範囲［Ｔ１］が重なる[Ａ１]を選択する。そして、全体制御部１０は、選択した複数回用パラメータ［Ａ１］を、画像処理パラメータ保持部１７ａへ通知する。画像処理パラメータ保持部１７ａは、選択された複数回用パラメータ[Ａ１]を、印刷データ生成部１６ａへ送信する。印刷データ生成部１６ａは、受け取った複数回用パラメータ[Ａ１]を使用して１１ページ目の画像処理を行い、１１ページ目の印刷データを生成する。
同様にして、全体制御部１０は、１２ページ目の画像については[Ｂ２]、１３ページ目の画像については[Ｃ３]、１４ページ目の画像については[Ｄ４]の複数回用パラメータを選択する。そして、印刷データ生成部１６ａは、それぞれの画像（ページ）の印刷データを、選択された複数回用パラメータを用いて生成する。そして、印刷データ生成部１６ａは、生成した印刷データをスプール１５ａに蓄積する。
【００１５】
ステップＳ１０においては、画像形成部１２は、印刷データ生成部１６ａが生成した１４ページ目までの印刷データに基づいてトナー画像を形成し、定着器１３は、トナー画像を定着させる（図４（ｄ），（ｅ）参照）。ただし、画像形成部１２は、１５ページ目以降のトナー画像をロール紙Ｒに形成しない。このため、ロール紙Ｒは、白紙のまま搬送される（図４（ｆ）参照）。
ステップＳ１１においては、全体制御部１０は、１４ページ目の画像が定着された後、送り側および巻取り側のロール紙搬送装置１１，１４を制御してロール紙Ｒの搬送を一時停止し（搬送制御手段）、定着器１３の加熱を停止する。または、全体制御部１０は、定着器１３を制御してロール紙Ｒから離す（図４（ｇ））参照。
ステップＳ１２においては、全体制御部１０（搬送制御手段）は、送り側および巻取り側のロール紙搬送装置１１，１４を制御し、ロール紙Ｒを巻戻す。ロール紙Ｒの巻戻し量は、ステップＳ８で決定されている。図４に示す例では、全体制御部１０は、１１ページ目の先頭が定着器１３の上流側に位置するまでロール紙Ｒを巻戻して停止する（図４（ｈ）（ｉ）参照）。そして、ステップＳ１３に進む。
ステップＳ１３においては、印刷データ生成部１６ａは、印刷の再開後に印刷する画像の印刷データを生成し、スプール１５ａに蓄積する（図４（ｉ）参照）。このステップＳ１３で印刷データ生成部１６ａが生成する印刷データは、定着が１回のみ行われる画像の印刷データである。このため、印刷データ生成部１６ａは、標準パラメータＳを使用して印刷データを生成する。そしてステップＳ１４に進む。
ステップＳ１４においては、全体制御部１０は、スプール量が所定の閾値以上になるまで、印刷を実行せずに待機する（図４（ｉ）参照）。そして、スプール量が所定の閾値以上となった場合に、ステップＳ１５に進む。なお、印刷ジョブの終了が近いと、スプール量が所定の閾値以上にならないことがある。この場合には、スプール量が所定の閾値以上にならなくてもステップＳ１５に進む。
ステップＳ１５においては、全体制御部１０は、送り側および巻取り側のロール紙搬送装置１１，１４と定着器１３を制御して、ロール紙Ｒの搬送と定着器１３の加熱を再開する（図４（Ｊ）参照）。図４（ｊ）に示す例では、１１ページ目は、温度が低い状態の定着器１３を遅い速度で通過し、２回目の定着が行われる。以降、１２,１３,１４ページ目と進むにしたがって、全体制御部１０は、定着器１３の温度およびロール紙Ｒの搬送速度を上昇させる（図４（ｋ），（ｌ）参照）。そして、全体制御部１０は、１５ページ目を定着する際の定着器１３の温度とロール紙Ｒの搬送速度が、標準パラメータＳと同じ定着器１３の温度およびロール紙Ｒの搬送速度になるように制御する。前記のとおり、１１〜１４ページは、２回目に定着した後に、標準パラメータＳで１回定着した場合と同様の色調の画像になるような画像処理パラメータＳで処理されている。このため、１１〜１４ページは、２回目の定着後に、標準パラメータＳで1回定着させた画像と同様の画像になる（図４(ｋ)，(ｌ)参照）。
ステップＳ１６において、画像形成部１２は、１４ページ目が通過した後、ロール紙Ｒに１５ページ目以降の画像を形成する。そして、定着器１３は、１５ページ目以降の画像を定着させる（図４（ｍ），（ｎ）参照）。
そしてＳ３に戻り、Ｓ３以降の処理を行う。Ｓ３に戻った以降は、標準パラメータＳを用いて画像処理が行われた印刷データを用いて画像を形成し、形成した画像を定着する（図４（ｎ）（ｏ）参照）。
【００１６】
なお、ステップＳ１６において、画像形成部１２が１５ページ目以降の画像を形成する際に、１５ページ目の書き出し位置（タイミング）を決定する必要がある。書き出し位置（タイミング）は、全体制御部１０が、巻戻し量と搬送再開後の搬送量とに基づいて決定する（タイミング決定手段）。このほか、書き出し位置を合せるためにパッチが用いられる構成であってもよい。パッチを用いる構成とする場合には、画像形成装置１ａが、さらにパッチ形成手段とパッチ検出手段とを有する。そして、全体制御部１０がパッチ形成手段とパッチ検出手段とを制御する。パッチ形成手段は、全体制御部１０の制御によって、余白となる部分にパッチを打つ。パッチ検出手段は、印刷の再開後にそのパッチを検出する。全体制御部１０は、パッチ検出手段によるパッチの検出のタイミングに基づいて、印刷再開後の書き出し位置を制御する（タイミング決定手段）。パッチは、一時停止と再開のための専用のパッチであってもよく、裁断などの他の用途のパッチを使用してもよい。たとえば、パッチの形成は、印刷データ生成部１６ａで印刷データの一部として埋め込む構成であってもよい。また、全体制御部１０からの指示により画像形成部１２が特定のタイミングでパッチを形成する構成、またはパッチの形成のために設けられた専用画像形成部（不図示）でパッチを形成する構成であってもよい。また、パッチ形成手段とパッチ検出手段には、公知の構成が適用できる。
【００１７】
（第２実施形態）
次に、本発明の第２実施形態について説明する。なお、第１実施形態と共通する構成については同じ符号を付して示し、説明は省略する。
第１実施形態においては、印刷再開時（ステップＳ１５）において、ロール紙Ｒの搬送の開始（再開）と同時に定着器１３の加熱を開始（再開）する構成である。ただし、ロール紙Ｒの搬送の開始と定着器１３の加熱の開始とは同時でなくてもよい。第２実施形態にかかる画像形成装置は、ロール紙Ｒの搬送の開始と定着器１３の加熱の開始とが同時ではない構成である。定着器１３の加熱を開始しても、直ちには温度上昇しないことがある。そこで、画像に影響がない場合には、全体制御部１０は、定着器１３の加熱を開始してから所定の時間が経過した後に、ロール紙Ｒの搬送を開始する。また、ロール紙Ｒの搬送を開始してから搬送速度が安定するまでに要する時間が、定着器１３の加熱を開始してから所定の温度に達するまでの時間よりも長いことがある。そこで、この場合には、全体制御部１０は、ロール紙Ｒを巻戻して搬送を開始（再開）した後、所定の時間が経過してから定着器１３の加熱を開始する。
【００１８】
（第３実施形態）
次に、本発明の第３実施形態について説明する。なお、第１実施形態と共通する構成については同じ符号を付して示し、説明は省略する。
第１実施形態と第２実施形態においては、定着器１３により２回にわたって定着される画像の印刷データの生成においてのみ、条件に応じた画像処理パラメータが選択されて使用される。これに対して、第３実施形態は、定着器１３によって１回のみの定着が行われる画像の印刷データを生成する際にも、条件に応じた画像処理パラメータが選択されて使用される。
図６は、定着が１回のみ行われる画像の印刷データの生成に使用される画像処理パラメータを模式的に示す図である。画像処理パラメータ保持部１７ａは、定着が２回にわたって行われる画像の生成に使用される複数の画像処理パラメータ（複数回用パラメータ）と、定着が１回のみ行われる画像の印刷データの生成に用いられる複数の画像処理パラメータを保持する。そして、定着が１回のみ行われる画像の印刷データの生成に用いられる画像処理パラメータは、複数の複数回用パラメータと同様に（図２参照）、定着器１３の温度とロール紙Ｒの搬送速度とに応じて設定される。
全体制御部１０は、各画像が定着器１３を通過する際の定着器１３の温度と搬送速度に対応する画像処理パラメータを選択する。そして、全体制御部１０は、画像処理パラメータ保持部１７ａに対して、選択した画像処理パラメータを印刷データ生成部１６ａに送信するように指示する。印刷データ生成部１６ａは、画像処理パラメータ保持部１７ａから送信された画像処理パラメータを使用して、各画像（各ページ）の印刷データを生成する。
第３実施形態によれば、定着が１回のみ行われる画像についても、最適な画像処理パラメータを切替えて使用される。したがって、印刷時に搬送速度が変化した場合や、定着器１３の温度が一定でない場合であっても、搬送速度と定着器１３の温度が安定している状態で印刷された画像と同等の画質の画像を得ることができる。
【００１９】
（第４実施形態）
次に、本発明の第４実施形態について説明する。なお、第１実施形態と共通する構成については同じ符号を付して示し、説明は省略する。
第１〜３実施形態は、印刷データ生成部１６ａが印刷データを生成してスプール１５ａに蓄積し、スプール１５ａは蓄積された印刷データを画像形成部１２に送信する構成である。スプール１５ａに印刷データが蓄積される構成ではなく、印刷データ生成前のデータがスプール１５ａに蓄積される構成であってもよい。第４実施形態は、印刷データの生成前の画像データがスプール１５ｄ（画像データ保持手段）に蓄積される構成を有する。図７は、第４実施形態にかかる画像形成装置１ｄの構成を模式的に示すブロック図である。図７に示すように印刷データの生成前の画像データがスプール１５ｄ（画像データ保持手段）に蓄積される。画像処理パラメータ保持部１７ｄは、定着回数と定着器１３の温度とロール紙Ｒの搬送速度に応じた複数の画像処理パラメータを保持する。全体制御部１０は、画像処理パラメータ保持部１７ｄに保持される画像処理パラメータから、各画像（各ページ）の定着の回数と定着時における定着器１３の温度とロール紙Ｒの搬送速度に対応する画像処理パラメータを選択する。そして、全体制御部１０は、画像処理パラメータ保持部１７ｄに対し、選択した画像処理パラメータを印刷データ生成部１６ｄに送信するように指示する。印刷データ生成部１６ｄは、スプール１５ｄ（画像データ保持手段）に蓄積されている画像データと、画像処理パラメータ保持部１７ｄから送信された画像処理パラメータとを用いて、各画像（各ページ）の印刷データをリアルタイムで生成する。そして、印刷データ生成部１６ｄは、生成した印刷データを、リアルタイムで画像形成部１２に送信する。画像形成部１２は、印刷データ生成部１６ｄから送信される印刷データを用いてロール紙Ｒにトナー画像を形成する。定着器１３は、画像形成部１２が形成したトナー画像をロール紙Ｒに定着させる。全体制御部１０は、スプール１５ｄ（画像データ保持手段）に蓄積されている画像データの量を監視し（監視手段）、所定の閾値を下回った場合には印刷を一時停止するか否かを判断する（一時停止決定手段）。
第４実施形態にかかる画像形成装置の印刷に関する処理は、スプール１５ｄ（画像データ保持手段）に蓄積される画像データの量（スプール量）を用いる。すなわち、第１実施形態では、全体制御部１０は、スプール１５ａ（印刷データ保持手段）に蓄積される印刷データの量が所定の閾値以上になった場合に印刷を開始する（ステップＳ２）。これに対して、第４実施形態では、全体制御部１０は、スプール１５ｄ（画像データ保持手段）に蓄積される画像データの量が所定の閾値以上になった場合に印刷を開始する。
第１実施形態では、全体制御部１０は、スプール１５ａ（印刷データ保持手段）に蓄積される印刷データの量を監視し、所定の閾値を下回った場合に、印刷一時停止処理を実行するか否かを判断する（一時停止決定手段）。これに対し、第４実施形態では、全体制御部１０は、スプール１５ｄ（画像データ保持手段）に蓄積される画像データの量を監視し、所定の閾値を下回った場合に、印刷一時停止処理を実行するか否かを判断する（一時停止決定手段）。
第４実施形態によれば、第１〜３実施形態と同様の効果を得ることができる。
【００２０】
（第５実施形態）
次に、本発明の第５実施形態について説明する。なお、第１実施形態と共通する構成については同じ符号を付して示し、説明は省略する。
第１〜３実施形態のようなスプール１５ａに蓄積された印刷データを画像形成部１２に送信する構成でなく、印刷データの生成途中のデータ（以下、「中間データ」と称する）がスプール１５ｅに蓄積される構成であってもよい。第５実施形態は、中間データがスプール１５ｅに蓄積される構成を有する。図８は、第５実施形態にかかる画像形成装置１ｅの構成を模式的に示すブロック図である。
図８に示すように、第５実施形態にかかる画像形成装置１ｅは、中間データ生成部１８（中間データ生成手段）をさらに有する。中間データ生成部１８（中間データ生成手段）は、印刷対象の画像の画像データから中間データを生成し、スプール１５ｅ（中間データ保持部）に蓄積していく。スプール１５ｅ（中間データ保持手段）は、印刷データ生成部１６ｅ（中間データ生成手段）に中間データを送信する。中間データ生成部１８（中間データ生成手段）と印刷データ生成部１６ｅの一方または両方は、画像処理パラメータ保持部１７ｅから各画像の条件に応じた画像処理パラメータを受信し、受信した画像処理パラメータを用いて画像処理を行う。すなわち、中間データ生成部１８と印刷データ生成部１６ｅとは、次の３つの態様のいずれかの処理を実行する。（１）中間データ生成部１８は、２回にわたって定着される画像の画像データと、全体制御部１０が選択した画像処理パラメータとを用いて、中間データを生成する。印刷データ生成部１６ｅは、中間データ生成部１８が生成した中間データを用いて、印刷データを生成する。（２）中間データ生成部１８は、２回にわたって定着される画像の画像データを用いて中間データを生成する。印刷データ生成部１６ｅは、全体制御部１０が選択した画像処理パラメータと、中間データ生成部１８が生成した中間データを用いて、印刷データを生成する。（３）中間データ生成部１８は、２回にわたって定着される画像の画像データと、全体制御部１０が選択した画像処理パラメータとを用いて中間データを生成する。印刷データ生成部１６ｅは、全体制御部１０が選択した画像処理パラメータと、中間データ生成部１８が生成した中間データを用いて、印刷データを生成する。全体制御部１０は、スプール１５ｅ（中間データ保持手段）に蓄積されている中間データの量を監視し（監視手段）、所定の閾値を下回った場合には印刷を一時停止するか否かを判断する（一時停止決定手段）。
第５実施形態にかかる画像形成装置１ｅの印刷に関する処理は、スプール１５ｅ（中間データ保持手段）に蓄積される中間データの量（スプール量）を用いる。すなわち、第５実施形態では、全体制御部１０は、スプール１５ｅ（中間データ保持手段）に蓄積される中間データの量が所定の閾値以上になった場合に印刷を開始する（図２のステップＳ２に対応する）。第５実施形態では、全体制御部１０は、スプール１５ｅ（中間データ保持手段）に蓄積される中間データの量を監視し、所定の閾値を下回った場合に、印刷一時停止処理を実行するか否かを判断する（一時停止決定手段）（図２のステップＳ４に対応する）。
このような構成によれば、第１〜３実施形態と同様の効果を奏することができる。
なお、印刷データ生成部１６ｅの画像処理はリアルタイム処理が保障されているものとする。さらに、スプール１５ｅから印刷データ生成部１６ｅへの中間データの送信と、印刷データ生成部１６ｅから画像形成部１２への印刷データの送信は、ボトルネックにならないものとする。
【００２１】
（第６実施形態）
次に、本発明の第６実施形態について説明する。なお、第１実施形態と共通する構成については同じ符号を付して示し、説明は省略する。
印刷一時停止処理において、ロール紙Ｒを巻戻して一時停止させる位置が、定着器１３の熱がロール紙Ｒに形成された画像に影響を与えない位置であれば、印刷再開処理において、ロール紙Ｒの搬送を開始する前に定着器１３の加熱を再開してもよい。
第６実施形態は、ロール紙Ｒを巻戻して停止させる位置を制御することによって、ロール紙Ｒの搬送を開始する前に定着器１３の加熱を開始しつつ、定着器１３の熱がロール紙Ｒに形成された画像に熱の影響を与えないようにする構成である。
本発明の第６実施形態について、図９を参照して説明する。図９は、第６実施形態にかかる画像形成装置の印刷の処理を模式的に示す図であり、第１実施形態の図４（ｇ）に対応する図である。なお、第６実施形態にかかる画像形成装置は、第１実施形態と共通の構成が適用できる。また、図９中のロール紙Ｒに付されている番号は、ページを示す。
第６実施形態においては、スプール量が所定の閾値を下回った場合に、画像形成装置１ａは、印刷一時停止処理を実行する。印刷一時停止処理においては、全体制御部１０は、ロール紙Ｒの搬送を停止して巻戻す（図３のステップＳ１２）。全体制御部１０は、定着器１３を１回のみ通過する画像（ページ）と２回にわたって通過する画像（ページ）との間に、余白領域Ｗを形成する。そして、全体制御部１０は、ロール紙Ｒの余白領域Ｗに定着器１３が接触する位置で停止するように、ロール紙搬送装置１１，１４を制御してロール紙Ｒを巻戻す。なお、余白領域Ｗの寸法は、ページの寸法の整数倍であってもよく、任意の寸法であってもよい。余白領域Ｗがページの寸法の整数倍である場合には、印刷後において裁断する際に、余白領域Ｗを通常のページの部分と同じ長さで裁断できる。
図９に示す例では、全体制御部１０は、１０ページ目と１１ページ目との間に、印刷を行わない余白領域Ｗを形成する。そして、全体制御部１０は、ロール紙Ｒを巻戻してこの余白領域Ｗが定着器１３に接触する位置で停止させる。図９においては、余白領域Ｗの寸法が１ページの寸法（ページの整数倍の寸法）に設定される例を示す。
そして、印刷再開処理において、全体制御部１０は、ロール紙Ｒの搬送の開始（再開）よりも先に定着器１３の加熱を開始（再開）する。定着器１３は余白領域Ｗに接触しているため、ロール紙Ｒが加熱されても印刷する画像（ページ）に熱の影響はない。そして、全体制御部１０は、定着器１３の温度が所定の温度に達して安定した後（定常状態となった後）に、ロール紙Ｒの搬送を開始する。
このような構成によれば、定着器１３によって２回にわたって定着される画像の２回目の定着においては、定着器１３の温度は一定で、ロール紙Ｒの搬送速度のみが相違する。このため、第６実施形態においては、搬送速度に応じた複数の複数回用パラメータが画像処理パラメータ保持部１７ａに保持される。そして、全体制御部１０は、各画像（各ページ）の２回目の定着におけるロール紙Ｒの搬送速度に応じて複数回用パラメータを選択し、印刷データ生成部１６ａは、選択された複数回用パラメータを用いて各画像（各ページ）の印刷データを生成する。図４の例では、印刷データ生成部１６ａが１１〜１４ページ目の印刷データを生成する際に、全体制御部１０が選択した複数回用パラメータを使用する。１５ページ目以降は、印刷データ生成部１６ａは、第１実施形態度同様に、標準パラメータＳを使用して印刷データを生成する。
【００２２】
（第７実施形態）
第６実施形態は、１回のみ定着が行われる画像と、２回にわたって定着が行われる画像とに間に、一時停止と再開のための専用の余白領域Ｗを設ける構成である。これに対して、第７実施形態は、このような専用の余白領域Ｗを設けない構成である。すなわち、ページ間に存在する余白領域に定着器１３を停止させることで、専用の余白領域を設ける必要がない。なお、ページ間に専用の余白領域Ｗを設けない構成を除いては、第６実施形態と同じ構成が適用される。
【００２３】
ここで、各実施形態にかかる画像形成装置のハードウェア構成について、簡単に説明する。全体制御部、印刷データ生成部、中間データ生成部、印刷データ生成部、画像処理パラメータ保持部は、所定の演算を行うＣＰＵと、プログラムや各種データを記憶できる記憶装置とを有するコンピュータが適用される。なお、全体制御部、印刷データ生成部、中間データ生成部、印刷データ生成部、画像処理パラメータ保持部は、全体として１つのハードウェアにより構成される構成であってもよく、それぞれ別個のハードウェアにより構成される構成であってもよい。また、全体制御部、印刷データ生成部、中間データ生成部、印刷データ生成部、画像処理パラメータ保持部は、専用のハードウェアであってもよく、汎用のハードウェア（汎用の各種コンピュータ）であってもよい。そして、ＣＰＵがプログラムを読み込んで実行することにより、前記各処理や動作が実行される。
【００２４】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。その場合、プログラムの機能を有していれば、オブジェクトコード、インタプリタにより実行されるプログラム、ＯＳに供給するスクリプトデータ等、プログラムの形態を問わない。プログラムを供給するための記録媒体としては、例えば、ハードディスク、磁気テープ等の磁気記録媒体、光／光磁気記憶媒体、不揮発性の半導体メモリでもよい。また、プログラムの供給方法としては、コンピュータネットワーク上のサーバに本発明を形成するコンピュータプログラムを記憶し、接続のあったクライアントコンピュータはがコンピュータプログラムをダウンロードしてプログラムするような方法も考えられる。
【００２５】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【産業上の利用可能性】
【００２６】
本発明は、画像形成時に定着を行う画像形成装置に関する。本発明によれば、ロール紙（連続紙）上の画像の定着回数が異なる場合であっても、印刷物に形成される画像の色の変化を防止または抑制できる。
【符号の説明】
【００２７】
１ａ：画像形成装置
１０：全体制御部
１１：ロール紙搬送装置（送り側）
１２：画像形成部
１３：定着器
１４：ロール紙搬送装置（巻き取り側）
１５ａ〜１５ｅ：スプール
１６ａ〜１６ｅ：印刷データ生成部
１７ａ〜１７ｅ：パラメータ保持部
１８：中間データ生成部
Ｐ：ロール紙（連続紙）
【図１】
2013246316.tif 000003
【図２】
2013246316.tif 000004
【図３】
2013246316.tif 000005
【図４】
2013246316.tif 000006
【図５】
2013246316.tif 000007
【図６】
2013246316.tif 000008
【図７】
2013246316.tif 000009
【図８】
2013246316.tif 000010
【図９】
2013246316.tif 000011